(57)【要約】      （修正有）【課題】組み立てが容易なアミノ酸分析装置用の試料保持具を提供する。【解決手段】アミノ酸分析装置の反応槽に設置される試料保持具１００であって、下面に形成された上部反応孔１３と、上部反応孔１３に連通する入口流路１４とを有する上部ブロック１０と、上面に形成された下部反応孔２３と、下部反応孔２３に連通する出口流路２４とを有する下部ブロック２０と、試料が保持され、上部反応孔１３内に配置される試料保持体３０と、上部反応孔１３内で試料保持体３０の上方に配置される上部フィルタ５１と、試料保持体３０と下部反応孔２４との間に配置される下部フィルタ５２とを備える構成とする。【選択図】図２
0003204280.tif 000002
【実用新案登録請求の範囲】
【請求項１】
アミノ酸分析装置の反応槽に設置される試料保持具であって、
下面に形成された上部反応孔と、前記上部反応孔に連通する入口流路とを有する上部ブロックと、
上面に形成された下部反応孔と、前記下部反応孔に連通する出口流路とを有する下部ブロックと、
試料が保持され、前記上部反応孔内に配置される試料保持体と、
前記上部反応孔内で前記試料保持体の上方に配置される上部フィルタと、
前記試料保持体と前記下部反応孔との間に配置される下部フィルタとを備えることを特徴とする試料保持具。
【請求項２】
前記上部反応孔は、直径ｄ１の円柱形状を有し、
前記上部フィルタは、直径ｄ１の円板体であり、
前記試料保持体は、直径ｄ１より小さい直径ｄ２の円板体であり、
前記下部フィルタは、直径ｄ１より大きい直径ｄ４の円板体であることを特徴とする請求項１に記載の試料保持具。
【請求項３】
前記上部反応孔は、前記上部ブロックの下面の突出部に形成されており、
前記突出部の外周に嵌められるフィルタホルダを備えることを特徴とする請求項１又は請求項２に記載の試料保持具。
【請求項４】
請求項１〜請求項３のいずれか１項に記載の試料保持具と、
前記試料のエドマン反応を行うエドマン反応部と、
前記エドマン反応部に試薬を供給する試薬供給部と、
前記エドマン反応部においてエドマン反応により前記試料から脱離したアミノ酸の分析を行うアミノ酸分析部とを備え、
前記エドマン反応部は、エドマン反応により前記試料からアミノ酸を脱離させるための反応槽と、脱離したアミノ酸を安定化させるコンバータとを有することを特徴とするアミノ酸分析装置。
【考案の詳細な説明】
【技術分野】
【０００１】
本考案は、試料保持具及びそれを備えたアミノ酸分析装置に関し、特にエドマン反応を用いてＮ末端から試料（アミノ酸）を逐次切断してアミノ酸分析部（高速クロマトグラフ等の分析機器）で分析することにより、アミノ酸配列（蛋白質やペプチドの一次構造等）の分析を行うアミノ酸分析装置に関する。
【背景技術】
【０００２】
従来から、アミノ酸配列をＮ末端から逐次分析するために用いられる方法として、エドマン反応が知られている（例えば、特許文献１参照）。このエドマン反応により、試料からアミノ酸を逐次分解して分析するアミノ酸分析装置には、試料のエドマン反応を行うエドマン反応部が備えられている。エドマン反応部は、エドマン反応により試料からアミノ酸を脱離させるための反応槽と、脱離したアミノ酸を安定化させるコンバータとを有する。
【０００３】
ここで、図４は、エドマン反応部の反応槽に設置される試料保持具の一例を示す分解状態における断面図であり、図５は、図４に示す試料保持具の組立状態の断面図である。
試料保持具２００は、上部ガラスブロック１０と、下部ガラスブロック２０と、試料保持体３０と、フィルタホルダ４０と、上部ＰＴＦＥ（ポリテトラフルオロエチレン）フィルタ１５１と、下部ＰＴＦＥフィルタ５２とを備える。
【０００４】
上部ガラスブロック１０は、下面に円柱形状（直径ｄ３：１６ｍｍ、高さ約２ｍｍ）の突出部１１が形成された円柱体（直径ｄ４：２０ｍｍ、高さ１５ｍｍ）１２からなる。そして、突出部１１には円柱形状（直径ｄ１：８ｍｍ、深さ約０．５ｍｍ）の上部反応孔１３が形成されており、上部反応孔１３の上面の中央と円柱体１２の上面の中央とが上下方向に連通するように円管形状の入口流路１４が形成されている。
【０００５】
下部ガラスブロック２０は、円柱体（直径ｄ４：２０ｍｍ、高さ１５ｍｍ）２２からなる。そして、円柱体２２の上面に逆円錐形状（直径ｄ１：８ｍｍ）の下部反応孔２３が形成されており、下部反応孔２３の下面の中央と円柱体２２の下面の中央とが上下方向に連通するように円管形状の出口流路２４が形成されている。
【０００６】
試料保持体３０は、例えばガラスファイバフィルタやＰＶＤＦ（ポリフッ化ビニリデン）膜等の試料支持体により試料が支持された円板体（直径ｄ２：６ｍｍ、厚さ約０．１５ｍｍ）である。
【０００７】
フィルタホルダ４０は、樹脂製の円環体（内径ｄ３：１６ｍｍ、外径ｄ４：２０ｍｍ、厚さ２ｍｍ）であり、上部ガラスブロック１０の突出部１１がフィルタホルダ４０の開口部４０ａに挿入可能となっている。
上部ＰＴＦＥフィルタ１５１と下部ＰＴＦＥフィルタ５２とは、直径ｄ１より大きい直径ｄ４（１６ｍｍ）の円板体（厚さ約０．１５ｍｍ）である。
【０００８】
次に、試料保持具２００を組み立てる組立方法について説明する。
まず、分析者等は上部ガラスブロック１０の上面が下になるように反転して机等に載置する。次に、分析者等は突出部１１の上部反応孔１３を覆うようにピンセット等を用いて上部ＰＴＦＥフィルタ１５１を載置した後、試料保持体３０を上部反応孔１３の上方となるようにピンセット等を用いて上部ＰＴＦＥフィルタ１５１上に載置する。さらに、分析者等は試料保持体３０上にピンセット等を用いて下部ＰＴＦＥフィルタ５２を載置する。そして、分析者等は上部ＰＴＦＥフィルタ１５１と下部ＰＴＦＥフィルタ５２とで試料保持体３０を挟持した状態で、フィルタホルダ４０の開口部４０ａに上部ガラスブロック１０の突出部１１を挿入して固定する。最後に、分析者等はフィルタホルダ４０を固定した上部ガラスブロック１０を反転して下部ガラスブロック２０の上面へ載置する。
【０００９】
このようにして組み立てた試料保持具２００が、後述する反応槽１１１に設置されると、入口流路１４が試薬供給部２から試薬を導入するための試薬導入路１１３と接続されるとともに、出口流路２４がコンバータ１１２に連結された試料搬送路１２２と接続される。
これにより、試薬導入路１１３から導入される試薬は、入口流路１４を通って上部ＰＴＦＥフィルタ１５１を介して上方から試料保持体３０に供給され、エドマン反応により試料からアミノ酸が脱離される。そして、試料から脱離したアミノ酸は、下部ＰＴＦＥフィルタ５２を介して出口流路２４を通ってコンバータ１１２に導かれる。
【先行技術文献】
【特許文献】
【００１０】
【特許文献１】実用新案登録第３１８８１６３号公報
【考案の概要】
【考案が解決しようとする課題】
【００１１】
しかしながら、上述したような試料保持具２００では、試料保持体３０を、上部反応孔１３の上方となるようにピンセット等を用いて上部ＰＴＦＥフィルタ１５１上に載置する必要があるが、この位置決め作業を目視で行っていたため、困難な作業となっていた。
さらに、試料保持体３０上にピンセット等を用いて下部ＰＴＦＥフィルタ５２を載置する際には、静電気により試料保持体３０の位置が安定せず、もう片方の手でピンセット等を用いて試料保持体３０を押さえる等の細かい作業が必要となっていた。
そこで、本考案は、容易に組み立てることができる試料保持具及びそれを備えたアミノ酸分析装置を提供することを目的とする。
【課題を解決するための手段】
【００１２】
上記の課題を解決するため、本考案の試料保持具は、アミノ酸分析装置の反応槽に設置される試料保持具であって、下面に形成された上部反応孔と、前記上部反応孔に連通する入口流路とを有する上部ブロックと、上面に形成された下部反応孔と、前記下部反応孔に連通する出口流路とを有する下部ブロックと、試料が保持され、前記上部反応孔内に配置される試料保持体と、前記上部反応孔内で前記試料保持体の上方に配置される上部フィルタと、前記試料保持体と前記下部反応孔との間に配置される下部フィルタとを備えるようにしている。
【考案の効果】
【００１３】
本考案の試料保持具によれば、上部フィルタと試料保持体とを上部反応孔内に配置するだけでよいので、容易に組み立てることができ、短時間での作業が可能となる。
【００１４】
（他の課題を解決するための手段及び効果）
また、上記の考案では、前記上部反応孔は、直径ｄ１の円柱形状を有し、前記上部フィルタは、直径ｄ１の円板体であり、前記試料保持体は、直径ｄ１より小さい直径ｄ２の円板体であり、前記下部フィルタは、直径ｄ１より大きい直径ｄ４の円板体であるようにしている。
また、上記の考案では、前記上部反応孔は、前記上部ブロックの下面の突出部に形成されており、前記突出部の外周に嵌められるフィルタホルダを備えるようにしている。
【００１５】
そして、本考案のアミノ酸分析装置は、上述したような試料保持具と、前記試料のエドマン反応を行うエドマン反応部と、前記エドマン反応部に試薬を供給する試薬供給部と、前記エドマン反応部においてエドマン反応により前記試料から脱離したアミノ酸の分析を行うアミノ酸分析部とを備え、前記エドマン反応部は、エドマン反応により前記試料からアミノ酸を脱離させるための反応槽と、脱離したアミノ酸を安定化させるコンバータとを有するようにしている。
【図面の簡単な説明】
【００１６】
【図１】本考案の一実施形態に係るアミノ酸分析装置を示す概略構成図。
【図２】エドマン反応部の反応槽に設置される試料保持具の分解状態の断面図。
【図３】図２に示す試料保持具の組立状態の断面図。
【図４】エドマン反応部の反応槽に設置される試料保持具の分解状態の断面図。
【図５】図４に示す試料保持具の組立状態の断面図。
【考案を実施するための形態】
【００１７】
以下、本考案の実施形態について図面を用いて説明する。なお、本考案は、以下に説明するような実施形態に限定されるものではなく、本考案の趣旨を逸脱しない範囲で種々の態様が含まれる。
【００１８】
図１は、本考案の一実施形態に係るアミノ酸分析装置を示す概略構成図である。
アミノ酸分析装置は、エドマン反応部１と、試薬供給部２と、アミノ酸分析部３とを備える。エドマン反応部１は、エドマン反応により試料からアミノ酸を脱離させるための反応槽１１１と、脱離したアミノ酸を安定化させるコンバータ１１２とを有する。
【００１９】
コンバータ１１２には、ガラス製の反応容器としてのコンバージョンフラスコ１２１が備えられている。反応槽１１１において試料から脱離したアミノ酸は、試料搬送路１２２を介してコンバージョンフラスコ１２１内に送られる。コンバージョンフラスコ１２１には、試薬供給部２から試薬導入路１２３を介して試薬が導入され、これにより、コンバージョンフラスコ１２１内のアミノ酸が安定化される。そして、安定化されたアミノ酸は、試料導出路１２４を介してアミノ酸分析部３に送られる。
【００２０】
コンバージョンフラスコ１２１には、試料搬送路１２２と試薬導入路１２３と試料導出路１２４との他に、ガス排気路１２５が接続されている。ガス排気路１２５には二方バルブ１２６が介装されており、二方バルブ１２６を開くことにより、コンバージョンフラスコ１２１内のガスを大気中に排気することができる。
【００２１】
また、試料搬送路１２２の途中には、三方バルブ１２７を介してガス排気路１２８が接続されている。三方バルブ１２７の開閉状態を切り替えることにより、試料搬送路１２２を介して反応槽１１１とコンバータ１１２とが連通した状態と、試料搬送路１２２がガス排気路１２８に連通した状態とに切り替えることができる。ガス排気路１２８には二方バルブ１２９が介装されており、試料搬送路１２２がガス排気路１２８に連通した状態で二方バルブ１２９を開くことにより、試料搬送路１２２内のガスを大気中に排気することができる。
【００２２】
試薬供給部２は、第１試薬供給部２ａと第２試薬供給部２ｂとを備えており、第１試薬供給部２ａと第２試薬供給部２ｂとを用いてエドマン反応部１に試薬を供給する。なお、第１試薬供給部２ａは、試薬導入路１１３を介して反応槽１１１に試薬を供給し、第２試薬供給部２ｂは、試薬導入路１２３を介してコンバータ１１２のコンバージョンフラスコ１２１に試薬を供給する。
【００２３】
アミノ酸分析部３は、六方バルブ１３１とポンプ１３２とカラム１３３と検出器１３４とデータ処理装置１３５とを備えており、エドマン反応部１においてエドマン反応により試料から脱離したアミノ酸の分析を行う。エドマン反応により試料から脱離したアミノ酸は、六方バルブ１３１に接続されているシリンジ（図示せず）により、試料導出路１２４から六方バルブ１３１に吸引される。その後、六方バルブ１３１を切り替えて、ポンプ１３２を駆動させることにより、脱離したアミノ酸をカラム１３３に注入する。
【００２４】
カラム１３３に注入されたアミノ酸は、カラム１３３を通過する過程で分離され、検出器１３４により検出される。データ処理装置１３５は、例えばＣＰＵ（Central Processing Unit）を含み、検出器１３４からの検出信号を解析することにより、アミノ酸の分析を行う。
【００２５】
ここで、図２は、エドマン反応部の反応槽に設置される試料保持具の一例を示す分解状態における断面図であり、図３は、図２に示す試料保持具の組立状態の断面図である。なお、上述した試料保持具２００と同様のものについては、同じ符号を付している。
試料保持具１００は、上部ガラスブロック１０と、下部ガラスブロック２０と、試料保持体３０と、フィルタホルダ４０と、上部ＰＴＦＥフィルタ５１と、下部ＰＴＦＥフィルタ５２とを備える。
【００２６】
上部ＰＴＦＥフィルタ５１は、上部反応孔１３内に挿入可能な直径ｄ１（８ｍｍ）の円板体（厚さ約０．１５ｍｍ）である。
【００２７】
次に、試料保持具１００を組み立てる組立方法について説明する。
まず、分析者等は上部ガラスブロック１０の上面が下になるように反転して机等に載置する。次に、分析者等は突出部１１の上部反応孔１３内に挿入するようにピンセット等を用いて上部ＰＴＦＥフィルタ５１を配置した後、試料保持体３０を上部反応孔１３内に挿入するようにピンセット等を用いて上部ＰＴＦＥフィルタ５１上に載置する。さらに、分析者等は試料保持体３０上にピンセット等を用いて下部ＰＴＦＥフィルタ５２を載置する。そして、分析者等は上部ＰＴＦＥフィルタ５１と下部ＰＴＦＥフィルタ５２とで試料保持体３０を挟持した状態で、フィルタホルダ４０の開口部４０ａを上部ガラスブロック１０の突出部１１に挿入して固定する。最後に、分析者等はフィルタホルダ４０を固定した上部ガラスブロック１０を反転して下部ガラスブロック２０の上面へ載置する。
【００２８】
このようにして組み立てた試料保持具１００が反応槽１１１に設置されると、入口流路１４が試薬供給部２から試薬を導入するための試薬導入路１１３と接続されるとともに、出口流路２４がコンバータ１１２に連結された試料搬送路１２２と接続される。
これにより、試薬導入路１１３から導入される試薬は、入口流路１４を通って上部ＰＴＦＥフィルタ５１を介して上方から試料保持体３０に供給され、エドマン反応により試料からアミノ酸が脱離される。そして、試料から脱離したアミノ酸は、下部ＰＴＦＥフィルタ５２を介して出口流路２４を通ってコンバータ１１２に導かれる。
【００２９】
以上のように、本考案の試料保持具１００によれば、上部ＰＴＦＥフィルタ５１と試料保持体３０とを上部反応孔１３内に配置するだけでよいので、容易に組み立てることができ、短時間での作業が可能となる。
【符号の説明】
【００３０】
１０  上部ガラスブロック（上部ブロック）
１３  上部反応孔
１４  入口流路
２０  下部ガラスブロック（下部ブロック）
２３  下部反応孔
２４  出口流路
３０  試料保持体
５１  上部ＰＴＦＥフィルタ（上部フィルタ）
５２  下部ＰＴＦＥフィルタ（下部フィルタ）
１００  試料保持具
１１１  反応槽
【図１】
0003204280.tif 000003
【図２】
0003204280.tif 000004
【図３】
0003204280.tif 000005
【図４】
0003204280.tif 000006
【図５】
0003204280.tif 000007